【事件の表示】
　特願２００５−３３５３４９「設定優先順序でコンピュータプログラムを実行する方法」拒絶査定不服審判事件〔平成１９年　２月　８日出願公開、特開２００７−　３５０１２、請求項の数（５）〕について、次のとおり審決する。
【結　論】
　原査定を取り消す。
　本願の発明は、特許すべきものとする。
【理　由】
１．手続の経緯・本願発明
　本願は、平成１７年１１月２１日（パリ条約による優先権主張２００５年７月２２日、台湾）の出願であって、平成２０年１０月１６日付けで拒絶理由が通知され、平成２１年１月２８日付けで手続補正がなされ、同年６月２日付けで拒絶査定がなされ、同年１０月９日に審判請求がなされたものである。
　そして、その請求項１〜請求項５に係る発明（以下、それぞれ「本願発明１」〜「本願発明５」という。）は、平成２１年１月２８日付け手続補正書により補正された特許請求の範囲の請求項１〜請求項５に記載されたとおりの次のものと認める。
　
「【請求項１】
設定優先順序でコンピュータプログラムを実行する方法において、この方法によると、コンピュータ装置中にあって、データ保存媒体、システムメモリ、基本入出力システム、複数の装置選択キー、複数のマルチメディア再生装置及び音響装置が接続され、該データ保存媒体中に第１オペレーションシステム及び第２オペレーションシステム、複数の装置駆動プログラム、複数の装置アプリケーションプログラム、及びプログラム実行優先順序テーブルが保存され、該プログラム実行優先順序テーブル中に各装置選択キーに対応するマルチメディア再生装置及び該マルチメディア再生装置を実行する時の関係装置駆動プログラム及びアプリケーションプログラムの優先順序が設定され、この方法は、
（ａ）各装置選択キーの被操作状態を検出するステップ、
（ｂ）任意の装置選択キーが操作された時、該コンピュータ装置が第２オペレーションシステムで起動するステップ、
（ｃ）該コンピュータ装置が第２オペレーションシステムの起動の後、データ保存媒体中よりプログラム実行優先順序テーブルをシステムメモリ内のランダムアクセス可能領域にロードするステップ、
（ｄ）該プログラム実行優先順序テーブル中で操作された装置選択キーに対応するマルチメディア再生装置を探すステップ、
（ｅ）該プログラム実行優先順序テーブル中よりこのマルチメディア再生装置に対応する装置駆動プログラム及びアプリケーションプログラムを探すステップ、
（ｆ）該プログラム実行優先順序テーブル中に設定されたマルチメディア再生装置に対応する装置駆動プログラム及びアプリケーションプログラムの優先順序により、順に該装置駆動プログラム及びアプリケーションプログラムをシステムメモリ内のランダムアクセス可能領域にロード及び実行するステップ、
を包含したことを特徴とする、設定優先順序でコンピュータプログラムを実行する方法。
　　【請求項２】
請求項１記載の設定優先順序でコンピュータプログラムを実行する方法において、該プログラム実行優先順序テーブル中に設定されたマルチメディア再生装置はオーディオＣＤ読み取り装置を包含し、その設定する関係装置駆動プログラム及びアプリケーションプログラム優先順序は順に、音響装置駆動プログラム、オーディオＣＤ装置駆動プログラム、オーディオＣＤ装置再生アプリケーションプログラムとされることを特徴とする、設定優先順序でコンピュータプログラムを実行する方法。
　　【請求項３】
請求項１又は２記載の設定優先順序でコンピュータプログラムを実行する方法において、該プログラム実行優先順序テーブル中に設定されたマルチメディア再生装置はデジタル音楽読み取り装置を更に包含し、その設定する関係装置駆動プログラム及びアプリケーションプログラム優先順序は順に、音響装置駆動プログラム、デジタル音楽装置駆動プログラム、デジタル音楽読み取り装置再生アプリケーションプログラムとされることを特徴とする、設定優先順序でコンピュータプログラムを実行する方法。
　　【請求項４】
請求項１乃至３の何れか１項に記載の設定優先順序でコンピュータプログラムを実行する方法において、該プログラム実行優先順序テーブル中に設定されたマルチメディア再生装置はオーディオビデオディスク読み取り装置を包含し、その設定する関係装置駆動プログラム及びアプリケーションプログラム優先順序は順に、音響装置駆動プログラム、オーディオビデオディスク読み取り装置駆動プログラム、オーディオビデオディスク再生アプリケーションプログラムとされることを特徴とする、設定優先順序でコンピュータプログラムを実行する方法。
　　【請求項５】
請求項１乃至４の何れか１項に記載の設定優先順序でコンピュータプログラムを実行する方法において、該プログラム実行優先順序テーブル中に設定されたマルチメディア再生装置はテレビ信号受信装置、及びテレビチューナーを更に包含し、その設定する関係装置駆動プログラム及びアプリケーションプログラム優先順序は順に、音響装置駆動プログラム、ディスプレイ装置駆動プログラム、テレビ信号受信装置駆動プログラム、テレビ放送アプリケーションプログラムとされることを特徴とする、設定優先順序でコンピュータプログラムを実行する方法。」
　
２．引用文献 
　これに対して、原査定の拒絶の理由に引用された、本願の出願前に頒布された刊行物である特開２０００−２０２８５号公報（以下、「引用文献１」という。）には、段落【００１５】〜【００２２】、【００２７】〜【００２９】、【図３】等を参照すると、以下の発明（以下、「引用発明１」と言う。）が記載されている。
　
　コンピュータプログラムを実行する方法において、この方法によると、コンピュータシステム中にあって、データ保存媒体、システムメモリ、ＢＩＯＳ、複数の選択スイッチ、複数のマルチメディア再生装置が接続され、該データ保存媒体中に複数のオペレーティングシステム、及び複数のアプリケーションプログラムが保存され、この方法は、
（１）各選択スイッチの被操作状態を検出して、電源ＯＮとするステップ、
（２）ＢＩＯＳが稼働し、システム内の各種デバイスの起動を実行し、各種デバイスの検査を実行し、検査済みの各種デバイスの初期化を実行するステップ、
（３）オペレーティングシステムブートルーチンが稼働し、該コンピュータシステムを該選択スイッチに対応する一つのオペレーティングシステムで起動するステップ、
（４）該選択スイッチに対応するアプリケーションプログラムをシステムメモリ内のランダムアクセス可能領域にロード及び実行するステップ、
を包含したことを特徴とする、コンピュータプログラムを実行する方法。
　
　また、原査定の拒絶の理由に引用された、本願の出願前に頒布された刊行物である特開２００５−１３４９８５号公報（以下、「引用文献２」という）には、段落【００１７】〜【００２３】、【００２８】〜【００２９】、【図５】等を参照すると、以下の発明（以下、「引用発明２」と言う。）が記載されている。
　
　設定実行順序でコンピュータプログラムを実行する方法において、この方法によると、コンピュータ中にあって、データ保存媒体、制御モジュール（ＢＩＯＳ）、処理モジュール、複数のクイックキー、複数のマルチメディア再生装置が接続され、該データ保存媒体中に複数の装置駆動プログラム、及び複数の装置アプリケーションプログラムが保存され、処理モジュールは、イベントテーブルを含み、該イベントテーブル中に各クイックキーに対応するマルチメディア再生装置及び該マルチメディア再生装置を実行する時の関係装置駆動プログラム及びアプリケーションプログラムの実行順序が設定され、この方法は、
（１）各クイックキーの被操作状態を検出するステップ、
（２）任意のクイックキーが操作された時、制御モジュール（ＢＩＯＳ）が、処理モジュールの動作をイネーブルにし、該クイックキーに対応するイベントキーを該処理モジュールに出力するステップ、
（３）該処理モジュールが、該処理モジュールに含まれるイベントテーブル中よりこのマルチメディア再生装置に対応する装置駆動プログラム及びアプリケーションプログラムを探すステップ、
（４）該処理モジュールが、該イベントテーブル中に設定されたマルチメディア再生装置に対応する装置駆動プログラム及びアプリケーションプログラムの実行順序により、順に該装置駆動プログラムを起動してから、アプリケーションプログラムをメインメモリにロードして実行するステップ、
を包含したことを特徴とする、設定実行順序でコンピュータプログラムを実行する方法。
　
３．対比・判断 
　本願発明１〜本願発明５と引用発明１とを対比する。
　本願発明１〜本願発明５は、
「（ｃ）該コンピュータ装置が第２オペレーションシステムの起動の後、データ保存媒体中よりプログラム実行優先順序テーブルをシステムメモリ内のランダムアクセス可能領域にロードするステップ、
（ｄ）該プログラム実行優先順序テーブル中で操作された装置選択キーに対応するマルチメディア再生装置を探すステップ、
（ｅ）該プログラム実行優先順序テーブル中よりこのマルチメディア再生装置に対応する装置駆動プログラム及びアプリケーションプログラムを探すステップ、
（ｆ）該プログラム実行優先順序テーブル中に設定されたマルチメディア再生装置に対応する装置駆動プログラム及びアプリケーションプログラムの優先順序により、順に該装置駆動プログラム及びアプリケーションプログラムをシステムメモリ内のランダムアクセス可能領域にロード及び実行するステップ」を発明特定事項（以下、「本願発明１〜本願発明５の発明特定事項」という）として共通に備えている。
　
　これに対して、引用発明１は、該コンピュータシステムが該選択スイッチに対応する一つのオペレーティングシステムの起動の後、データ保存媒体中よりプログラム実行優先順序テーブルをシステムメモリ内のランダムアクセス可能領域にロードするステップを備えるものでなく、該プログラム実行優先順序テーブル中で操作された装置選択キーに対応するマルチメディア再生装置を探すステップを備えるものでなく、該プログラム実行優先順序テーブル中よりこのマルチメディア再生装置に対応する装置駆動プログラムを探すステップを備えるものでなく、また該プログラム実行優先順序テーブル中に設定されたマルチメディア再生装置に対応する装置駆動プログラムをシステムメモリ内のランダムアクセス可能領域にロード及び実行するステップを備えるものでもない。
　また、引用文献１を参照しても、該コンピュータシステムが該選択スイッチに対応する一つのオペレーティングシステムの起動の後、データ保存媒体中よりプログラム実行優先順序テーブルをシステムメモリ内のランダムアクセス可能領域にロードするステップ、該プログラム実行優先順序テーブル中で操作された装置選択キーに対応するマルチメディア再生装置を探すステップ、該プログラム実行優先順序テーブル中よりこのマルチメディア再生装置に対応する装置駆動プログラムを探すステップ、また該プログラム実行優先順序テーブル中に設定されたマルチメディア再生装置に対応する装置駆動プログラムをシステムメモリ内のランダムアクセス可能領域にロード及び実行するステップについて、記載も示唆もない。
　よって、引用文献１に、前記本願発明１〜本願発明５の発明特定事項に相当する構成が記載されているとは認められず、かつ、その記載から自明とはいえない。
　
　他方、引用発明２は、データ保存媒体中に第１オペレーションシステム及び第２オペレーションシステムが保存されたものでなく、任意のクイックキーが操作された時、該コンピュータが第２オペレーションシステムで起動するステップを備えるものでなく、また該コンピュータが第２オペレーションシステムの起動の後、データ保存媒体中よりイベントテーブルをメインメモリにロードするステップを備えるものでもなく、任意のクイックキーが操作された時、制御モジュール（ＢＩＯＳ）が、処理モジュールの動作をイネーブルにし、該クイックキーに対応するイベントキーを該処理モジュールに出力し、該処理モジュールが、該処理モジュールに含まれるイベントテーブル中よりこのマルチメディア再生装置に対応する装置駆動プログラム及びアプリケーションプログラムを探し、該処理モジュールが、該イベントテーブル中に設定されたマルチメディア再生装置に対応する装置駆動プログラム及びアプリケーションプログラムの実行順序により、順に該装置駆動プログラムを起動してから、アプリケーションプログラムをメインメモリにロードして実行するものに過ぎない。
　
　してみると、仮に引用発明１に引用発明２を組み合わせた場合であっても、引用発明１の「（２）ＢＩＯＳが稼働し、システム内の各種デバイスの起動を実行し、各種デバイスの検査を実行し、検査済みの各種デバイスの初期化を実行するステップ」において、該ＢＩＯＳが、イベントテーブル中より選択スイッチに対応するマルチメディア再生装置の装置駆動プログラムを探し、該イベントテーブル中に設定されたマルチメディア再生装置に対応する装置駆動プログラムを起動する構成が想到される程度であって、本願発明１〜本願発明５のように、該コンピュータシステムが該選択スイッチに対応する一つのオペレーティングシステムの起動の後、データ保存媒体中よりプログラム実行優先順序テーブルをシステムメモリ内のランダムアクセス可能領域にロードするステップを備え、該プログラム実行優先順序テーブル中で操作された装置選択キーに対応するマルチメディア再生装置を探すステップを備え、該プログラム実行優先順序テーブル中よりこのマルチメディア再生装置に対応する装置駆動プログラムを探すステップを備え、また該プログラム実行優先順序テーブル中に設定されたマルチメディア再生装置に対応する装置駆動プログラムをシステムメモリ内のランダムアクセス可能領域にロード及び実行するステップを備える構成が、引用発明１及び引用発明２に基づいて容易に発明できたものということはできない。
　そして、本願発明１〜本願発明５は、前記本願発明１〜本願発明５の発明特定事項を備えることにより、明細書に記載の効果を奏するものである。 
　したがって、本願発明１〜本願発明５は、引用文献１及び引用文献２に記載された発明に基づいて当業者が容易に発明できたものではない。
　
４．むすび
　以上のとおりであるから、本願発明１〜本願発明５は、特許法第２９条第２項の規定により特許を受けることができないとした原査定の判断は妥当でない。
　また、他に本願を拒絶すべき理由を発見しない。 
　よって、結論のとおり審決する。